(57)【特許請求の範囲】
【請求項１】
コンピュータのデスクトップを投影する二次元表面型のデバイスであるインタラクティブボードの裏面に予め取り付け枠を設置する工程と、
少なくとも２つの固定式ボード及び／又は移動式ボードの各主ボード面上に、前記取り付け枠を受けて脱着可能に支持する共通の枠支持手段を予め設置する工程と、
前記インタラクティブボードを、前記枠支持手段を設置した固定式ボード又は移動式ボードのいずれかに、前記取り付け枠並びに前記枠支持手段を介して据え付ける工程とから成るインタラクティブボードの据え付け方法。
【請求項２】
前記枠支持手段は、前記取り付け枠を係止する取り付け支柱を含み、前記取り付け支柱は、前記固定式ボード及び前記移動式ボードの主ボード面上に脱着可能に設置される、請求項１に記載のインタラクティブボードの据え付け方法。
【請求項３】
前記取り付け支柱は、前記固定式ボード及び前記移動式ボードの主ボード面に敷設されるガイドレールに係合して転動又は摺動する手段を備えることにより、前記主ボード面に沿って横方向に移動可能にされる、請求項２に記載のインタラクティブボードの据え付け方法。
【請求項４】
前記取り付け支柱は、前記主ボード面に対して水平回転方向に揺動可能に設置される、請求項２又は３に記載のインタラクティブボードの据え付け方法。
【請求項５】
前記取り付け支柱は、上下方向の長さ調整が可能である、請求項２乃至４のいずれかに記載のインタラクティブボードの据え付け方法。
【請求項６】
前記取り付け支柱は、前記取り付け枠に設けられる嵌合筒部に嵌まり合う嵌合筒部を備える、請求項２乃至５のいずれかに記載のインタラクティブボードの据え付け方法。
【請求項７】
前記取り付け支柱の嵌合筒部と前記取り付け枠の嵌合筒部は、それぞれ上下一対設置される、請求項６に記載のインタラクティブボードの据え付け方法。
【請求項８】
前記取り付け支柱の一対の嵌合筒部及び／又は前記取り付け枠の一対の嵌合筒部は、上下方向の間隔調整が可能である、請求項７に記載のインタラクティブボードの据え付け方法。
【請求項９】
前記取り付け支柱と取り付け枠の接合に際し、それらの前記嵌合筒部同士の嵌合度合いを調整することで、前記取り付け支柱と前記取り付け枠の間隔を調整し、以て、前記インタラクティブボードと前記主ボード面との間の間隔調整を可能にした、請求項６乃至８のいずれかに記載のインタラクティブボードの据え付け方法。
【請求項１０】
前記取り付け枠は、その縦寸法及び／又は横寸法の調整が可能である、請求項２乃至９のいずれかに記載のインタラクティブボードの据え付け方法。
【請求項１１】
前記取り付け枠は、前記インタラクティブボードの裏面上下に設置される係止手段に係わり合って前記係止手段を保持し又は前記係止手段によって保持される部分を有していて、前記係わり合いによって前記インタラクティブボードが前記取り付け枠に取り付けられる、請求項２乃至１０のいずれかに記載のインタラクティブボードの据え付け方法。
【請求項１２】
前記取り付け枠の前記インタラクティブボードの裏面上下に設置される係止手段に係わり合って前記係止手段を保持し又は前記係止手段によって保持される部分は、前記取り付け枠を構成する上側横枠に設置される上側ボード支持部材と、前記取り付け枠を構成する下側横枠に設置される下側ボード支持部材である、請求項１１に記載のインタラクティブボードの据え付け方法。
【請求項１３】
前記下側ボード支持部材を前記下側横枠にネジ留めするために前記下側ボード支持部材に形成されるネジ孔が、縦方向に長い長孔である、請求項１２に記載のインタラクティブボードの据え付け方法。
【請求項１４】
前記取り付け枠は、プロジェクターを吊下するプロジェクターハンガーのアームを挿入支持するアームホルダーを備える、請求項２乃至１３のいずれかに記載のインタラクティブボードの据え付け方法。
【発明の詳細な説明】
【技術分野】
【０００１】
本発明は、インタラクティブボードの据え付け方法、より詳細には、コンピュータのデスクトップを投影する二次元表面型のデバイスであるインタラクティブボードの据え付け方法に関するものである。
【背景技術】
【０００２】
近時、学校等の教育関連施設や病院等の公共施設、あるいは、企業等において、インタラクティブボードが広く使用されるようになってきている。このインタラクティブボードは、コンピュータのデスクトップを投影する二次元表面型のデバイスであって、ユーザーがその表面上に行ったことをコンピュータに入力する機能を備えたものである。もちろん電子黒板としての使用も可能であるが、それにプロジェクターやパソコン、スピーカ等を一体に装備して使用することで、効率の良い汎用的な対話型コンピュータスクリーンとなり得るものである。
【０００３】
このインタラクティブボードにおける、機器間の双方向通信のための位置検知方式としては、デジタル感圧型や電磁気型等のタッチパネルセンサー方式のものと、超音波・赤外線型、光学・赤外線型及びレーザ光線型等の送受信センサー方式のものとがある。現在、学校等の教育関連施設や病院等の公共施設、及び、企業等においては、その使用目的や用途に応じ、壁や黒板の盤面上に固定設置する固定式タイプのインタラクティブボードと、使用場所を自由に変更することが可能な移動式タイプのインタラクティブボードとが使い分けられている。
【０００４】
これらのインタラクティブボードは、プロジェクターからの映写画像をボード面に投影するため、プロジェクターをボード面に向けて吊り下げ保持するための手段が付設されることになる。
【０００５】
これらの多機能ボードの据え付け設置形態としては、上述したように、固定式タイプのものと移動式タイプのものとがあるが、それらの固定式ボード用のボードと移動式ボード用のボードは、それぞれ専用の設置形態を有していて、直接的な互換性はない。即ち、一方のタイプのボードを取り外して他方の方式のボードとして利用するようなことは全く想定されておらず、もちろん、交換可能な仕様にはなっていない。
【０００６】
従って、既存の大型固定式黒板において、そのボード面上に電子黒板を設置して用いることがあるが、そのような場合に顧客から、移動式で使用していたボードを、その既存の大型固定式黒板のボード面上に架け替えて固定式ボードとして利用したいとの要望があったとしても、その要望を満たすことはできず、新たな固定式専用のボードを用意して、その大型固定式黒板上に設置せざるを得ない。そして、このようにして架け替えた場合において、ボードの架け替え作業に伴って不要となる既存のインタラクティブボード等は、再使用が難しいために廃却等の処分を余儀なくされるが、それは、省資源、省エネ、環境保全面等の観点からも大きな問題となる。
【先行技術文献】
【特許文献】
【０００７】
【特許文献１】特開２００２−３３３３１４号公報
【特許文献２】特開２００３−３９８８９号公報
【特許文献３】特許第３３４８６９６号公報
【特許文献４】特許第３３２３４７７号公報
【発明の概要】
【発明が解決しようとする課題】
【０００８】
本発明は上記背景の下になされたものであって、本発明が解決しようとする課題は、固定式タイプのボードと移動式タイプのボード間においてインタラクティブボードの取付手段を共通のものとすることにより、いずれかの固定式ボード又は移動式ボードに設置されていたインタラクティブボードを他の固定式ボード又は移動式ボードに設置可能にし、以て、架け替え作業の簡便化及び低コスト化を図ると共に、既存のインタラクティブボードを再使用することで、省資源、省エネ、環境保全に貢献し得るインタラクティブボードの据え付け方法を提供せんとするところにある。
【課題を解決するための手段】
【０００９】
上記課題を解決するための請求項１に記載の発明は、コンピュータのデスクトップを投影する二次元表面型のデバイスであるインタラクティブボードの裏面に予め取り付け枠を設置する工程と、少なくとも２つの固定式ボード及び／又は移動式ボードの各主ボード面上に、前記取り付け枠を受けて脱着可能に支持する共通の枠支持手段を予め設置する工程と、前記インタラクティブボードを、前記枠支持手段を設置した固定式ボード又は移動式ボードのいずれかに、前記取り付け枠並びに前記枠支持手段を介して据え付ける工程とから成るインタラクティブボードの据え付け方法である。
【００１０】
一実施形態においては、前記枠支持手段は、前記取り付け枠を係止する取り付け支柱を含み、前記取り付け支柱は、前記固定式ボード及び前記移動式ボードの主ボード面上に脱着可能に設置される。
【００１１】
また、前記取り付け支柱は、前記固定式ボード及び前記移動式ボードの主ボード面に敷設されるガイドレールに係合して転動又は摺動する手段を備えることにより、前記主ボード面に沿って横方向に移動可能にされる。
【００１２】
一実施形態においては、前記取り付け支柱は、前記主ボード面に対して水平回転方向に揺動可能に設置され、また、前記取り付け支柱は、上下方向の長さ調整が可能にされる。
【００１３】
一実施形態においては、前記取り付け支柱は、前記取り付け枠に設けられる嵌合筒部に嵌まり合う嵌合筒部を備え、前記取り付け支柱の嵌合筒部と前記取り付け枠の嵌合筒部は、それぞれ上下一対設置され、前記取り付け支柱の一対の嵌合筒部及び／又は前記取り付け枠の一対の嵌合筒部は、上下方向の間隔調整が可能にされる。
【００１４】
前記取り付け支柱と取り付け枠の接合に際し、それらの前記嵌合筒部同士の嵌合度合いを調整することで、前記取り付け支柱と前記取り付け枠の間隔を調整し、以て、前記インタラクティブボードと前記主ボード面との間の間隔調整が可能にされ、また、前記取り付け枠は、その縦寸法及び／又は横寸法の調整が可能にされる。
【００１５】
前記取り付け枠は、前記インタラクティブボードの裏面上下に設置される係止手段に係わり合って前記係止手段を保持し又は前記係止手段によって保持される部分を有していて、前記係わり合いによって前記インタラクティブボードが前記取り付け枠に取り付けられる。
【００１６】
一実施形態においては、前記取り付け枠の前記インタラクティブボードの裏面上下に設置される係止手段に係わり合って前記係止手段を保持し又は前記係止手段によって保持される部分は、前記取り付け枠を構成する上側横枠に設置される上側ボード支持部材と、前記取り付け枠を構成する下側横枠に設置される下側ボード支持部材である。その場合、前記下側ボード支持部材を前記下側横枠にネジ留めするために前記下側ボード支持部材に形成されるネジ孔が、縦方向に長い長孔とされる。
【００１７】
一実施形態においては、前記取り付け枠は、プロジェクターを吊下するプロジェクターハンガーのアームを挿入支持するアームホルダーを備える。
【発明の効果】
【００１８】
本発明は上述したとおりであって、本発明に係るインタラクティブボードの据え付け方法は、固定式タイプのボードと移動式タイプのボード間においてインタラクティブボードの取付手段が共通であるため、いずれかの固定式ボード又は移動式ボードに設置されていたインタラクティブボードを他の固定式ボード又は移動式ボードに架け替え容易であり、以て、架け替え作業の簡便化及び低コスト化を図ることができる効果がある。
【００１９】
また、既存のインタラクティブボードを再使用することになるので、省資源、省エネ、環境保全に貢献し得る効果がある。
【図面の簡単な説明】
【００２０】
【図１】本発明に係る方法におけるインタラクティブボードの一実施形態（壁面固定型）を示す正面図である。
【図２】本発明に係る方法におけるインタラクティブボードの一実施形態（壁面固定型）の例を示す側面図である。
【図３】本発明に係る方法におけるインタラクティブボードの一実施形態における取り付け支柱と取り付け枠の設置状態の例を示す正面図である。
【図４】本発明に係る方法におけるインタラクティブボードの一実施形態における取り付け支柱の設置状態の例を示す側面図である。
【図５】本発明に係る方法におけるインタラクティブボードの一実施形態における取り付け枠の構成例を示す正面図である。
【図６】本発明に係る方法におけるインタラクティブボードの一実施形態における取り付け枠の構成例を示す側面図である。
【図７】本発明に係る方法におけるインタラクティブボードの他の実施形態（移動式）の例を示す正面図である。
【図８】本発明に係る方法におけるインタラクティブボードの他の実施形態（移動式）の例を示す側面図である。
【図９】本発明に係る方法におけるインタラクティブボードの他の実施形態における取り付け枠のスタンドへの取り付け状態の例を示す正面図である。
【図１０】本発明に係る方法におけるインタラクティブボードの他の実施形態における取り付け枠の構成例を示す正面図である。
【図１１】本発明に係る方法におけるインタラクティブボードの他の実施形態における取り付け枠の構成例を示す側面図である。
【発明を実施するための形態】
【００２１】
以下に、本発明を実施するための形態について、図面に依拠して説明する。本発明に係るインタラクティブボードの据え付け方法は、コンピュータのデスクトップを投影する二次元表面型のデバイスであるインタラクティブボードの裏面に予め取り付け枠を設置する工程と、少なくとも２つの固定式ボード及び／又は移動式ボードの各主ボード面上に、前記取り付け枠を受けて脱着可能に支持する共通の枠支持手段を予め設置する工程と、前記インタラクティブボードを、前記枠支持手段を設置した固定式ボード又は移動式ボードのいずれかに、前記取り付け枠並びに前記枠支持手段を介して据え付ける工程とから成る。
【００２２】
インタラクティブボード１は、図１に示されるような固定式ボード２の主ボード面３、及び、図７に示されるような移動式ボード３２の主ボード面３３ないしスタンド３４に対し、それぞれ脱着可能とするための手段を備える。そして、インタラクティブボード１は、固定式ボード２相互間、移動式ボード３２相互間、並びに、固定式ボード２と移動式ボード３２間において、相互に交換据え付け可能に構成されることを特徴とする。
【００２３】
インタラクティブボード１の裏側に配置される固定式ボード２の主ボード面３に対する脱着手段は、その移動式ボード３２の主ボード面３３に対する脱着手段とは別の構成にして、両者を併設することとしてもよいが、好ましくは、両者を共通のものとする。両者を共通のものとすれば、部品点数が少なくなって構成がシンプルになり、低コスト化につながるだけでなく、交換据え付け作業が単一化されるために、一層作業効率が向上する。
【００２４】
図示した例は、固定式ボード２の主ボード面３に対する脱着手段と、移動式ボード３２の主ボード面３３に対する脱着手段とを共通のものとする場合のもので、それは、インタラクティブボード１の裏面側に取り付けられる取り付け枠５と、固定式ボード２及び移動式ボード３２側に設置されて、取り付け枠５を支持する取り付け支柱４とから成る。
【００２５】
先ず、図１乃至図６に示された固定式ボード２についての構成について説明する。この場合の取り付け支柱４は、固定式ボード２の主ボード面３の左右に一対配置され、汎用性を持たせ、また寸法調整を容易にするために、好ましくは鞘構造とする等により、伸縮可能にされる（図２、３参照）。また好ましくは、取り付け支柱４は、主ボード面３の上下に平行に敷設されるガイドレール６、７に係合して転動又は摺動する手段を備えることにより、主ボード面３に沿って横方向へ移動可能にされる。  
【００２６】
例えば、ガイドレール６、７として断面が角Ｃ字状のアルミ枠材が用いられ、転動又は摺動手段としてローラー８が用いられる（図２、３参照）。通例、ローラー８としては、その安定走行のために、前後一対のホイールを備えたものが用いられ、その支軸９が、ガイドレール６、７の正面側に存するスリット１０から出される。  
【００２７】
ローラー8の支軸９は、アーム１１を介して取り付け支柱４の上端及び下端に連結される。アーム１１は、好ましくはその中間部が屈折自在にされ、以て、取り付け支柱４が、アーム１１の途中から主ボード面３に対して揺動可能となるようにされる。この構成は、特に曲面黒板の場合に有効で、曲面部を移動させる際に支点部分、即ち、支軸９に加わる捻り応力を解消させて、曲面部を無理なく移動させることが可能となる。
【００２８】
なお、図示してないが、ガイドレール６、７に対する取り付け支柱４の取り付け作業を容易にするために、ガイドレール６、７の適宜箇所（通例、中央部付近）に不連続部を設け、ローラー８をこの不連続部から横にずらしてガイドレール６、７に係合させるようにすることができる。  
【００２９】
各取り付け支柱４には、それに取り付け枠５を組み付けるための手段としての嵌合筒部１２が、通例上下一対設置される。後述するように、この嵌合筒部1２は、取り付け枠５の対応する嵌合筒部１３と嵌合し合うことになる。
【００３０】
取り付け枠５は、基本的には四辺を有する四角形状を呈していて、各辺は、汎用性を持たせ、また寸法調整を容易にするために、鞘構造とする等により、伸縮可能にされる（図５参照）。上記嵌合筒部１３は、取り付け枠５の左右の縦枠１４、１５に、それぞれ上下一対設置される。
【００３１】
図示した例では、嵌合筒部１３の方が嵌合筒部１２よりも小径であって、嵌合筒部１２内に嵌入して接続されるようになっているが、もちろん両者が逆の関係となっていてもよい。また、図示した例では、嵌合筒部１２と嵌合筒部１３は角柱状とされているが、円柱状等であってもよいことは言うまでもない。
【００３２】
このように、取り付け支柱４と取り付け枠５の接合に嵌合筒部１２及び１３を用い、両者の嵌合度合いを調整することで、取り付け支柱４と取り付け枠５、換言すれば、インタラクティブボード１と主ボード面３との間の間隔調整を、容易に行うことが可能となる。
【００３３】
取り付け枠５の上側の横枠１６には上側ボード支持部材１７が設置され、下側の横枠１８には下側ボード支持部材１９が設置される。上側ボード支持部材１７と下側ボード支持部材１９は、後述するように、それぞれインタラクティブボード１の裏面に設置される対応部材と係わり合うことで、インタラクティブボード１を支持する。例えば、上側ボード支持部材１７は、斜め上方に延びる係止部１７ａを有する構成とされ、下側ボード支持部材１９は、下方に延びる垂直係止部１９ａを有するアングル形状部材に構成される（図２、６参照）。  
【００３４】
好ましい実施形態においては、上側の横枠１６に、プロジェクター５０を吊下するプロジェクターハンガー５１のアーム５２を挿入支持するアームホルダー２０を備える。アーム５２はアームホルダー２０に挿入支持されて、プロジェクター５０を、映写に好適な位置に移動させ、且つ、好適な向きに向けることが可能な状態にて吊持する。また、必要に応じ、縦枠１４、１５間に、補助横枠２１が渡される。
【００３５】
インタラクティブボード１の裏面の上部には、取り付け枠５の上側の横枠１６の上側ボード支持部材１７に対応してこれに係わり合う部材が設置される。該部材は、図示した例では、上側ボード支持部材１７の係止部１７ａに掛止される上部フック２３とされている（図２参照）。その場合は必要に応じ、上方から上部フック２３を押さえ、係止部１７ａとの間に上部フック２３を確固と挟持するフック押止部材２４を、横枠１６の上面に固定して配置する。
【００３６】
また、インタラクティブボード１の裏面の下部に、取り付け枠５の下側の横枠１８の下側ボード支持部材１９に対応してこれに係わり合う部材が設置される。該部材は、図示した例においては、下側ボード支持部材１９の垂直係止部１９ａを掛止する下部フック２５とされている（図２参照）。好ましくは、下側ボード支持部材１９を横枠１８に固定するためのネジの差し込み孔を、縦方向に長い長孔とすることにより、横枠１８に対する下側ボード支持部材１９の取り付け高さ位置を調整可能にする。このようにしておけば、その垂直係止部１９ａを下部フック２５に引っ掛けた後、その高さ位置を調整しつつ横枠１８へネジ留めすることができ、インタラクティブボード１の固定作業を容易且つ確実に行うことが可能となる。
【００３７】
インタラクティブボード１の取り付け枠５に対する取り付け手段は上述したものに限られる訳ではなく、例えば、上部及び下部共に、係止部１７ａと上部フック２３と同様の関係にて係止させることとしてもよく、また、上部及び下部共に、垂直係止部１９ａと下部フック２５と同様の関係にて係止させることとしてもよい。  
【００３８】
更に必要に応じ、インタラクティブボード１の下部に、パソコンを載置するための折畳式パソコン載置台４５が設置され、また、その上部に、スピーカ４６を載置するためのスピーカ載置台が設置される（図１参照）。更に、下側のガイドレール７を二段にし、下段のガイドレールにフック型吊下げ具４７を取り付け、そこに配線コード４８類を吊下げ可能にすることもできる。
【００３９】
次いで、図７乃至図１０に示される、移動式ボード３２に関する実施形態について説明する。この実施形態においても、上記実施形態の場合と互換性のあるインタラクティブボード１と取り付け枠５が用いられるが、それぞれの構成及びそれら相互の接合方法は、基本的に上記実施形態におけるものと同一であり、同一符号が付された部分の構成は同一であるので、重複する部分の説明は省略する。
【００４０】
なお、移動式ボード３２にも大小のものがあり、図７に示すような比較的大型のものの場合は、上記固定型の場合と同様に、主ボード面の上下にガイドレールを敷設し、取り付け支柱４を介して取り付け枠５とインタラクティブボード１とを設置することもできるが、ガイドレール及び取り付け支柱４を用いることなく、スタンド３３に取り付け枠５とインタラクティブボード１とを設置することもできる。小型の移動式ボード３２の場合は、概ね後者の構成とされる。
【００４１】
図８乃至図１１は、取り付け枠５を、ガイドレール及び取り付け支柱４を用いることなく、スタンド３４に設置する場合の構成例を示すものである。この場合、主ボード面３３をそのままにして、主ボード面３３の裏側にインタラクティブボード１を配するようにすることもできるが、主ボード面３３を取り外してインタラクティブボード１を取り付けるようにすることもできる。  
【００４２】
この実施形態においては、好ましくは鞘構造等によって伸縮可能にされるスタンド３４の両縦杆３５、３６の上方の外装筒３５ａ、３６ａに、それぞれ上下一対の嵌合筒部３７が設けられ、この嵌合筒部３７に、取り付け枠５の縦枠１４、１５に設けた嵌合筒部１３が嵌装される。かくして取り付け枠５が、スタンド３４に設置される。なお、両縦杆３５、３６を連結する１乃至複数本の横杆３８も、伸縮可能にされる。
【００４３】
この移動式ボード３２の場合は、インタラクティブボード１が大きくなればなる程不安定な立位状態になるので、脚部４０に転倒防止バー４１を設置することが好ましい（図８、９参照）。例えば、転倒防止バー４１はＬ字形状のものとし、その縦杆部を、脚部４０に設けた軸支ブロック42において、回動可能且つ上下動可能に軸支させる。この転倒防止バー４１は、移動式ボード３２の移動時には上昇させておき、その定置時には、任意の方向に向けて下降させて接地させる。４３は、転倒防止バー４１の回動位置及び上下位置を固定するためのロックハンドルである。  
【００４４】
また、移動式ボード３２の場合のパソコン載置台４５は、インタラクティブボード１に設けることもできるが、好ましくは、図７に示すように、スタンド３４に設けるようにする。  
【００４５】
本発明は、上述したような従来にないタイプのインタラクティブボード１を提供するものであり、それは、学校の教育施設、その他の条件環境に拠る場所毎に、それぞれの使用条件や求められる使用条件毎に柔軟に対応できる、真の意味での多機能型インタラクティブボードとなり得るものである。即ち、本発明に係る方法においては、インタラクティブボード１を、従来の映像投写に耐えない通常の既存黒板に対しても容易に設置することができ、しかも、使用者の利便性を飛躍的に高める新たな機能として、ボードの上方に、プロジェクターを吊下支持するプロジェクターハンガーを一体に備えるものである。
【００４６】
そして、このインタラクティブボード１によれば、架け替えのために各種機材を購入したり、設置のために相当な費用と工事の手間をかける必要がなくなり、映像表示性能の向上、操作性の飛躍的向上、設置工事の簡易化と汎用化の実現、資源の節約等の実現が可能となり、本インタラクティブボード１を使用者に提供することで得られる経済的効果だけでなく、省エネ等による環境改善効果の期待が持てる、大変に有用なものである。
【００４７】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００４８】
１    電子ボード
２    固定式ボード
３    主ボード面
４    取り付け支柱
５    取り付け枠
６、７  ガイドレール
８    ローラー
９    支軸
１０    スリット
１１    アーム
１２、１３  嵌合筒部
１４、１５  縦枠
１６、１８  横枠
１７    上側ボード支持部材
１９    下側ボード支持部材
２０    アームホルダー
２１    補助横枠
２３    上部フック
２４    フック押止部材
２５    下部フック
３２    移動式ボード
３３    主ボード面
３４    スタンド
３５、３６  縦杆
３７    嵌合筒部
３８    横杆
４０    脚部
４１    転倒防止バー
４２    軸支ブロック
４３    ロックハンドル
【図１】
0005748942.tif 000002
【図２】
0005748942.tif 000003
【図３】
0005748942.tif 000004
【図４】
0005748942.tif 000005
【図５】
0005748942.tif 000006
【図６】
0005748942.tif 000007
【図７】
0005748942.tif 000008
【図８】
0005748942.tif 000009
【図９】
0005748942.tif 000010
【図１０】
0005748942.tif 000011
【図１１】
0005748942.tif 000012